(57)【要約】【課題】  封緘装置付きの縦形ポンプ式液体噴出容器を提案する。【解決手段】  容器体口頸部２へ嵌合させた、装着筒４の周壁３上部から外向きフランジ12を介して外周壁13を垂下し、その外向きフランジ周方向へ複数透孔14を穿設し、上記装着筒により容器体内へ垂下されたシリンダ５内から上方付勢されて起立する作動部材６上端のノズル９付き押下げヘッド７を覆合させた内キャップ21の周壁21a から係止板22を垂下して上記透孔14内へ挿通させ、かつこれ等係止板が有する逆刺23を透孔下縁へ係合させ、又内キャップ周壁21a に内キャップ取外し用の破断用第１弱化線24を設けた。【選択図】  図１
2006008238.tif 000002
【特許請求の範囲】
【請求項１】
容器体口頸部２外面へ周壁３を嵌合させた装着筒４で容器体内へシリンダ５を垂下し、該シリンダ内から上方付勢されて起立する作動部材６の上下動で押下げヘッド７のノズル９から容器体内液体を噴出可能な縦形ポンプ式液体噴出容器において、
上記周壁３から外向きフランジ12を介し外周壁13を垂下してその外向きフランジ周方向へ適宜間隔をおいて穿設した複数透孔14内へ、上記押下げヘッドを覆合する内キャップ21の周壁21a から垂下する複数係止板22を挿通させてそれ等係止板が有する逆刺23を各透孔下面へ係合させ、又内キャップ周壁21a に内キャップ除去用の破断用第１弱化線24を設けた
ことを特徴とする封緘装置付きの縦形ポンプ式液体噴出容器。
【請求項２】
内キャップ頂壁一部を摘み片25として、摘み片25基端の両側ないし一端から内キャップ周壁21a 下部に周設した第１弱化線24に接続させて第２弱化線26を垂下させた
ことを特徴とする、請求項１記載の封緘装置付きの縦形ポンプ式液体噴出容器。
【請求項３】
上記内キャップ周壁21a の下部を上向き段部を介して大外径部21b として、該大外径部上方の周壁部分下端との接続部に第１弱化線24を周設すると共に、上記大外径部21b を、内キャップ21を覆合させて嵌合させる外キャップ31の周壁31a 下端の嵌合筒部とした
ことを特徴とする、請求項１又は２記載の封緘装置付きの縦形ポンプ式液体噴出容器。
【発明の詳細な説明】
【技術分野】
【０００１】
本発明は封緘装置付きの縦形ポンプ式液体噴出容器に関する。
【背景技術】
【０００２】
周壁下端から、薄肉脆弱ブリッジを介してリング状封緘バンドを垂下するキャップ本体と、該キャップ本体へ冠着させたオーバーキャップとからなり、上記封緘バンドを容器体口頸部外面へ嵌合させた封緘キャップが知られている（特許文献１）。
【特許文献１】特開２００３−４０２９７号公報
【発明の開示】
【発明が解決しようとする課題】
【０００３】
上記封緘キャップは、口頸部を起立するだけの容器ないしボトルへの嵌合用キャップで、これは縦形ポンプ式液体噴出容器への使用に適しない。
【０００４】
本発明は、容器体内へ垂下されたシリンダ内から上方付勢させて作動部材を起立し、該作動部材の上下動で容器体内液体を作動部材上端の押下げヘッドが有するノズルから噴出するよう設けた縦形ポンプ式液体噴出容器に適するよう設けたものである。
【課題を解決するための手段】
【０００５】
第１の手段として容器体口頸部２外面へ周壁３を嵌合させた装着筒４で容器体内へシリンダ５を垂下し、該シリンダ内から上方付勢されて起立する作動部材６の上下動で押下げヘッド７のノズル９から容器体内液体を噴出可能な縦形ポンプ式液体噴出容器において、
上記周壁３から外向きフランジ12を介し外周壁13を垂下してその外向きフランジ周方向へ適宜間隔をおいて穿設した複数透孔14内へ、上記押下げヘッドを覆合する内キャップ21の周壁21a から垂下する複数係止板22を挿通させてそれ等係止板が有する逆刺23を各透孔下面へ係合させ、又内キャップ周壁21a に内キャップ除去用の破断用第１弱化線24を設けた。
【０００６】
第２の手段として、上記第１の手段を有すると共に内キャップ頂壁一部を摘み片25として、摘み片25基端の両側ないし一端から内キャップ周壁21a 下部に周設した第１弱化線24に接続させて第２弱化線26を垂下させた。
【０００７】
第３の手段として、上記第１、又は第２の手段を有すると共に上記内キャップ周壁21a の下部を上向き段部を介して大外径部21b として、該大外径部上方の周壁部分下端との接続部に第１弱化線24を周設すると共に、上記大外径部21b を、内キャップ21を覆合させて嵌合させる外キャップ31の周壁31a 下端の嵌合筒部とした。
【発明の効果】
【０００８】
請求項１記載のようにすることで、破断用第１弱化線24を破断して内キャップ21を除去しない限り押下げヘッド７を介しての作動部材６の操作が不能であり、封緘機能を達成できる。
【０００９】
請求項２のようにすることで、内キャップ21の除去は、摘み片25を引いて第２弱化線26、第１弱化線24を破断して行うこととなり、よってそれ等摘み片および第２弱化線を有しない場合に比べてその除去が容易となる。
【００１０】
請求項３のようにすることで、外キャップ周壁下端を嵌合させる筒部の形成が容易となり、外周壁13からの延長周壁の形成が不要とすることが出来る。
【発明を実施するための最良の形態】
【００１１】
まず図１から図４が示す第１実施形態について説明する。まず公知の部分について簡単に説明すると、縦形ポンプ式液体噴出容器は、容器体１の口頸部２の外面へ周壁３を螺合させた装着筒４で容器体内へシリンダ５を垂下させ、そのシリンダ内から上方付勢させて作動部材６を起立させ、該作動部材上端の押下げヘッド７を付勢に抗して押下げ、又スプリング８で弾性復帰させることで容器体内液体をシリンダ５内へ吸込み、かつ該シリンダ内液体を押下げヘッドが有するノズル９から噴出可能に形成している。尚図示例では容器体底板10を上昇可能とし、容器体内液体減少による負圧化でその底板が上昇してその負圧化を解消するよう設けているが、容器体底板を容器体周壁下端へ固定し、シリンダ下端から垂下させた吸上げパイプシリンダ内へ液体を吸込む容器でもよい。尚11は容器体の下面保護板である。
【００１２】
図示例では、ノズル９先端部を僅かに外方へ突出させて押下げヘッド頂壁から周壁7aを垂下し、又既述装着筒周壁３を上向き段部を介して上方へ延長させ、該延長周壁3aの上端内方へ上記押下げヘッド周壁7a下端を位置させている。
【００１３】
本発明にあっては、図２のように上記装着筒周壁３の上部から外向きフランジ12を介して外周壁13を垂下し、その外向きフランジ周方向へほぼ等間隔に透孔14を穿設した。その外周壁は上方へ延長周壁13a を起立する。
【００１４】
又押下げヘッド７を覆合する内キャップ21を設けてその周壁21a 下端から図３のように上記各透孔内へ挿入させる係止板22を垂下し、その係止板には逆刺23を付設して透孔内へ挿入させたとき、それ等逆刺が透孔下面へ係合するよう設けた。その逆刺23は図３が示すように両側方へ突出させてもよく、又図５、図６の変形例が示すように周壁外方側へ突出させ、外向きフランジ12の外周部下面へ係合させてもよい。
【００１５】
図示例では内キャップ21の周壁21a 下部を上向き段部を介して肉厚の大外径部21b とし、かつその上向き段部側方の周壁部分へ破断用の第１弱化線24を周設している。該第１弱化線は、後述の第２弱化線も同様、周知のように薄肉線ないしミシン目状に多数破断用連結子を連続させて形成すればよい。尚上記大外径部21b の上端は既述外周壁の延長周壁13a 上端と同一高さとしている。
【００１６】
又内キャップ21の頂壁は、押下げヘッドのノズル孔上方部分を摘み片25として残してその他の頂壁部分を切除し、その摘み片基端の両側から第２弱化線26を上記第１弱化線に達するまで垂下させている。
【００１７】
但し、内キャップ頂壁27は、図６が示す変形例のように周壁21a の全上面を閉塞し、第１弱化線24だけを設けて摘み片や、第２弱化線を省くこともできる。又摘み片25は頂壁一部への切離し線穿設により形成してもよい。
【００１８】
31は外キャップで、既述内キャップ21を覆合させてその周壁下端を装着筒外周壁13の延長周壁13a 外面へ嵌合させている。
【００１９】
図７から図９は第２実施形態を示すもので、既述第１実施形態との相違点は、装着筒４の外周壁13から延長周壁を起立させず、又内キャップ21周壁の下部肉厚を透孔14の巾よりも大とし、かつ係止板22はその周壁下端内縁部から垂下させてそれ等係止板外面上端に下向き段部を形成し、その下向き段部を透孔上面の外方部分へ載置させ、上記大外径部21b 外面へ外キャップ31の周壁31a 下端部を着脱自在に嵌合させている。
【００２０】
それ等相違点のほかは第１実施形態と同じであり、よって同一符号を付することで説明を省略する。
【００２１】
既述実施形態において、内キャップ21が作動部材６押下げ防止の封緘機能を果たし、作動部材押下げの際は、まず外キャップ31を外した後、第１弱化線24破断により該第１弱化線上方の内キャップ部分を除去し、押下げヘッド７を介して作動部材６を押下げ、又スプリング８による上方付勢で弾性復帰させ、該作動部材の上下動で液体噴出させる。内キャップ21に摘み片25や第２弱化線26を設けた場合は第１弱化線24破断に先だち、摘み片25を引いて第２弱化線26を破断し、続いて第１弱化線24を破断すればよい。尚第２弱化線26は、摘み片25基端の一方側面からだけ垂下させてもよく、この場合は、その一方だけの第２弱化線26を破断した後、続いて第１弱化線24を破断する。
【００２２】
尚図示例においてスプリング８を除く各部材はすべて合成樹脂材で成形している。
【図面の簡単な説明】
【００２３】
【図１】本発明容器の半断面図である。
【図２】図１要部の拡大断面図である。
【図３】図１容器の内キャップの斜視図である。
【図４】図１容器の作動部材を使用可能とした状態で示す半断面図である。
【図５】図３が示す内キャップを第１変形例で示す斜視図である。
【図６】図３が示す内キャップを第２変形例で示す斜視図である。
【図７】第２実施形態で示す本発明容器の半断面図である。
【図８】図７要部の拡大断面図である。
【図９】図７容器の作動部材を使用可能とした状態で示す半断面図である。
【符号の説明】
【００２４】
４  装着筒                          ５  シリンダ
６  作動部材                        ７  押下げヘッド
９  ノズル                          12  外向きフランジ
13  外周壁                          14  透孔
21  内キャップ                      22  係止板
23  逆刺                            24  第１弱化線
25  摘み片                          26  第２弱化線
【図１】
2006008238.tif 000003
【図２】
2006008238.tif 000004
【図３】
2006008238.tif 000005
【図４】
2006008238.tif 000006
【図５】
2006008238.tif 000007
【図６】
2006008238.tif 000008
【図７】
2006008238.tif 000009
【図８】
2006008238.tif 000010
【図９】
2006008238.tif 000011